(57)【要約】【課題】懸吊式パネル天井のパネル開口部に取付けられる照明式ディスプレイの提供。【解決手段】天井パネル１０の枠組の外側に取付けられ、枠組格子１１に重なる天井取付け型背面照明式ディスプレイ・パネル１３であり、パネルが装着されたまま、および／または、パネルが取り外された状態における天井照明取付け具の全覆いを含む。ディスプレイは、外側パネル天井枠組に取付けられ、天井蛍光灯ボックスのフレーム（枠）そのものを覆うか、または、ディスプレイを照明灯ボックスのフレームに取付けることができる。取付け機構は、天井パネル枠組の外側長を蛍光灯ボックスのフレームにクリップ留めする帯状部材２７である。正しく取付けられると、帯状部材は天井格子構造に面一で取付けられ、照明灯ボックスと天井格子構造の間、および／または懸吊式天井の枠組に取付けられる。【選択図】　　　図１
2004038150.tif 000002
【特許請求の範囲】
【請求項１】
懸吊式天井の格子構造と組み合わせて使用するためのディスプレイ装置において、
前記組合せが、
支持格子、および、該支持格子に装架されたパネルを含む懸吊式天井と、
前記支持格子に対応する開口部を有し、部分的に囲まれたディスプレイであって、前記ディスプレイの前記開口部が、該開口部の周囲の装架用フレームを有する前記ディスプレイと、
前記支持格子の、パネルが除去された開口部分に、前記装架用フレームによって前記ディスプレイを固定するための装架用帯状部材とを含むディスプレイ装置。
【請求項２】
前記ディスプレイ装置が、前記装架用フレームから下向きの角度をなす少なくとも二つの側面を有し、前記ディスプレイの下側から前記側面を見ることができるようになっている請求項１に記載されたディスプレイ装置。
【請求項３】
前記ディスプレイ装置が、装架用フレームから下向きの角度をなす少なくとも４つの側面を有し、前記ディスプレイの下側から前記側面を見ることができるようになっている請求項１に記載されたディスプレイ装置。
【請求項４】
前記ディスプレイが、該ディスプレイの上にある照明灯取付け具の下位に装架されている請求項１に記載されたディスプレイ装置。
【請求項５】
前記ディスプレイが、透明および半透明のうちの少なくとも一方である請求項１に記載されたディスプレイ装置。
【請求項６】
前記ディスプレイが、白色および一つまたはそれ以上の色彩のうちの少なくとも一つである請求項１に記載されたディスプレイ装置。
【請求項７】
可変ディスプレイを配置するための装架用フレームを含む請求項１に記載されたディスプレイ装置。
【請求項８】
懸吊式天井の格子構造と組み合わせて使用するためのディスプレイ装置において、前記の組合せが、
支持格子、および、該支持格子に装架されたパネルを含む懸吊式天井と、
前記支持格子の、パネルが除去された開口部分に、前記装架用フレームによって前記ディスプレイを固定するための装架用帯状部材と、
可変ディスプレイを配置するための前記ディスプレイ装置上の装架用フレームとを含むディスプレイ装置。
【請求項９】
前記ディスプレイ装置が、装架用フレームから下向きの角度をなす少なくとも二つの側面を有し、前記ディスプレイの下側から前記側面を見ることができるようになっている請求項８に記載されたディスプレイ装置。
【請求項１０】
前記ディスプレイ装置が、装架用フレームから下向きの角度をなす少なくとも４つの側面を有し、前記ディスプレイの下側から前記側面を見ることができるようになっている請求項８に記載されたディスプレイ装置。
【請求項１１】
前記ディスプレイが、該ディスプレイの上にある照明灯取付け具の下位に装架されている請求項８に記載されたディスプレイ装置。
【請求項１２】
前記ディスプレイが、透明および半透明のうちの少なくとも一方である請求項８に記載されたディスプレイ装置。
【請求項１３】
前記ディスプレイが、白色および一つまたはそれ以上の色彩のうちの少なくとも一つである請求項８に記載されたディスプレイ装置。
【請求項１４】
懸吊式天井の格子構造と共に使用するためのディスプレイ装置において、
前記支持格子に対応する開口部を有し、部分的に囲まれたディスプレイであって、前記ディスプレイの前記開口部が、該開口部の周囲の装架用フレームを有する前記ディスプレイと、
前記支持格子の、パネルが除去された開口部分に、前記装架用フレームによって前記ディスプレイを固定するための装架用帯状部材とを含むディスプレイ装置。
【請求項１５】
可変ディスプレイを配置するための装架用フレームを含む請求項１４に記載されたディスプレイ装置。
【発明の詳細な説明】
【０００１】
【発明の属する技術分野】
本発明は照明式ディスプレイに係わり、特に懸吊式パネル天井のパネル開口部で天井に装架されるディスプレイに関するものである。
【０００２】
【従来の技術】
米国特許第４２９０２１８号は、天井パネル用の置換物であり、白熱光を用いている。この特許は、天井ユニットの底部における平坦なパネルを開示している。このユニットを天井に取付けるために保持クリップが使用される。
【０００３】
米国特許第４５２８７６４号は、いくつかの半透明の差込式インサートを含む光拡散器である。第１すなわち最も内側のインサートが半透明の拡散シートである。拡散シートに対してフィルム・ネガを挟むために外側のシートがなければならない。各種の構成部品が、通常のアクリル樹脂で形成されている。ユニットの側壁は、反射性で半透明のバッフルが内側に着座している切抜き部分を有する。この光拡散器は、光を下方に拡散するように設計されている。この光拡散器は、反射手段用の切抜き部を通して反射光を得るために、少なくとも一つの傾斜側面を含む。
【０００４】
米国特許第５２７４９３８号は、内部枠組と限られた窓口スロットがディスプレイ上の直接照明の量を厳格に制限するので、限られた表面領域を有するに過ぎない。
【０００５】
【発明が解決しようとする課題】
本発明は、天井パネルの枠組の外側に取付けられ、枠組の格子に重なる天井取付け型背面照明式ディスプレイ・パネルであり、パネルが装着されたまま、および／または、パネルが取り外された状態における天井照明取付け具の全覆いを含む。ディスプレイは、外側パネル天井枠組に取付けられ、天井蛍光灯ボックスのフレーム（枠）そのものを覆うか、または、ディスプレイを照明灯ボックスのフレームに取付けることができる。
【０００６】
【課題を解決するための手段】
取付け機構は、天井パネルの枠組の外側長を蛍光灯ボックスのフレームにクリップ留めする帯状部材である。適切に取付けられた場合、帯状部材は、天井格子構造に面一に取付けられ、照明灯ボックスと天井格子構造の間、および／または、懸吊式天井の枠組に確実に取付けられる。
【０００７】
【発明の実施の形態】
図１は、一つのパネル空間に取付けられた本発明天井取付け型ディスプレイ・パネル１３を備えた懸吊式パネル天井１０を示す。懸吊式天井１０は、格子または枠組を形成する複数の帯状部材（ストリップ）１１のフレームを有し、この格子または枠組内に天井パネル１２が配置されている。１枚またはそれ以上の天井パネル１２を取り外し、パネルを取り外した各開口部分内にディスプレイ・パネル１３を取付けることができる。ディスプレイ・パネル１３は、これを天井格子１１に対する取付け位置から取り外すことなく、ディスプレイを配置することのできる移動パネル保持器１７を有することができる。
【０００８】
図２は、ディスプレイ・パネル１３を点線で示した懸吊式パネル天井１０を示し、パネルの上にある照明灯取付け具１４を示す。懸吊式天井では、全てのパネル上に照明灯を配置することができる。各パネル用の蛍光管１６を有する照明灯取付け具１４等の照明灯ユニットを配置することができ、あるいはまた、複数のパネルの上に延在する長い蛍光管を配置することもできる。各パネル・ユニット（単位パネル）に照明灯を必要としない場合には、パネル・ユニットの幾つかを透明または半透明にしなくてもよい。
【０００９】
図３は、ディスプレイ・パネル１３の詳細を示す。ディスプレイ・パネル１３は、装架用フレーム２４から下向きに延在して共通端部２５で接合する二つの側面パネル２０、２１を有する。横面パネル２２、２３は三角形であり、側面パネル２０、２１の両端部を囲っている。４つの面２０、２１、２２、２３が、蛍光灯によって内側から照明される四側面ディスプレイ・パネルを形成する。図３の例では、二つの横面２２、２３が鉛直方向を指向しているが、図３ａに示すように、或る角度をなしてもよい。図３ａでは、二つの横面が、２２ａ、２３ａで指示されるとおり、傾斜している。元の横面２２、２３は図３ａ中の点線は、元の横面２２、２３を示す。図３における底縁部２５は、図３ａでは、短い底縁部２５ａとして示され、除去された端部２５ｂ、２５ｃが点線で示されている。照明式ディスプレイ１３は、孔のない３次元形状体である。このユニット内に配置された図形は、永久的もの、または、一時的なものであってよい。典型的には、照明式ディスプレイは、矩形のプラスチック成形品であるが、どのような形状にしてもよい。台形のグラフィックディスプレイを頂部または底部から見るようにした追加ユニットに、照明式ディスプレイを付してもよい。典型的には、このユニットを、レキサン（ｌｅｘａｎ）、ポリカーボネート、または、プレキシグラスによって形成することができるが、多くの他の材料も使用できる。
【００１０】
図４は、固定用または取付け用帯状部材２７の端面を示す。図５は、帯状部材２７を側面から見た状態を示す。帯状部材２７は、背面２８から伸長する二つの側片２７ａ、２７ｂを有する。ディスプレイ・パネル１３を天井格子に取付けるときには、幾つかの帯状部材２７を用いてこれを保持する。
【００１１】
照明式ディスプレイ１３を透明、および／または、白色半透明にすることができるが、表示または広告にすることのできる各種目的に合わせて着色し、または、形状付与することができる。照明式ディスプレイ１３は、照明灯ボックスの周りを囲う頂部を除いて完全な包囲体であり、全側縁部２４で複数の細長い帯状部材２７（透明にしてもよい）によってクリップ留めされてる。ユニットの各側面に複数の細長い帯状部材２７を使用できるが、典型的には、長手方向に沿う各側面に二つ、各端部に一つの帯状部材を使用する。これらの全ては、外側から天井格子１１（図１、図２）または蛍光灯装置自体の枠組に取付けられる。
【００１２】
図６は、天井パネル構造体の格子１１に取付けられた照明式パネル１３を示す。パネル１３の縁部２４は、帯状格子１１に対して帯状部材２７によって所定位置に保持され、蛍光管１６を備えた照明灯取付け具１４を覆った状態でパネル１３を封止する。
【００１３】
照明式パネル１３およびその取付け用帯状部材の新規な特徴の一つの利点は、プラスチック照明レンズの着脱に当たって、蛍光灯照明ユニット自体を、妨害なく、そのままにしておくことができる点である。照明式パネル１３は、天井パネル枠組および／または蛍光灯照明装置をそのままにして、外側から取付けられる。これによって、芸術、公報、広告、および、その他のあらゆる種類の視覚的表示を含む広い適用分野のために、永続的な情報ディスプレイ装置および一時的な情報ディスプレイ装置のいずれの設置も可能である。
【図面の簡単な説明】
【図１】一つのパネル空間に取付けられた本発明による天井取付け型ディスプレイ・パネルを設けた懸吊式パネル天井を示す。
【図２】点線で示したディスプレイ・パネルを有する懸吊式パネル天井を、パネルの上の照明灯と共に示す。
【図３】ディスプレイ・パネルの詳細を示す。
【図３ａ】ディスプレイ・パネルの変形例を示す。
【図４】取付けクリップの端面を示す。
【図５】取付けクリップの側面を示す。
【図６】天井格子の帯状格子に取付け固定されたディスプレイ・パネルの端面を示す。
【符号の説明】
１０　懸吊式パネル天井
１１　条片、天井格子
１２　天井パネル
１３　ディスプレイ・パネル
１４　照明灯取付け具
１６　蛍光管
２０、２１　側面
２２、２３　側面パネル
２４　パネルの縁部
２５　共通端部
２７　帯状部材
２８　背面
【図１】
2004038150.tif 000003
【図２】
2004038150.tif 000004
【図３】
2004038150.tif 000005
【図３ａ】
2004038150.tif 000006
【図４】
2004038150.tif 000007
【図５】
2004038150.tif 000008
【図６】
2004038150.tif 000009
【外国語明細書】
2004038150.tif 000010
2004038150.tif 000011
2004038150.tif 000012
2004038150.tif 000013
2004038150.tif 000014
2004038150.tif 000015
2004038150.tif 000016
2004038150.tif 000017
2004038150.tif 000018
2004038150.tif 000019
2004038150.tif 000020
2004038150.tif 000021
2004038150.tif 000022
2004038150.tif 000023
2004038150.tif 000024